(57)【要約】【課題】高気圧の酸素等を充満させた気密性の高いカプセルの内部に数人が座った状態でリラックスできる大きさの大型カプセルを分割状態で運搬および搬入し、簡単な組み立て作業を経て設置することができる高気圧酸素カプセルを提供する。【解決手段】カプセルは水平状に横設する筒体と筒体の両端開口部を閉塞する一対のキャップ部材とから構成され、筒体は内部に座った使用者が頭部の上方に余裕を有する外径であって、筒体の周面が外方へ膨出した曲面で形成されると共に、横設した筒体を軸方向に沿って分割してなる分割筒体から形成され、両端のキャップ部材もまた外方へ膨出した曲面と筒体に嵌合する周部を有し、一対のキャップ部材と分割筒体を結合することによってカプセルが構成され、筒体の横側面に使用者が出入りする開口部を形成し、この開口部の内側面の上下に設けたレールに沿って筒体と同様の曲面を有する開閉扉を左右方向に開閉するようにした。【選択図】図１
2018020097.tif 000002
【特許請求の範囲】
【請求項１】
剛性材料による密閉状筒体のカプセルの内部に酸素を送り込んでカプセル内を加圧する加圧機構を備えた高気圧酸素カプセルにおいて、カプセルは水平状に横設する筒体と筒体の両端開口部を閉塞する一対のキャップ部材とから構成され、筒体はその内部に座った使用者が頭部の上方に余裕を有する外径であって、筒体の周面が外方へ膨出した曲面で形成されると共に、横設した筒体を軸方向に沿って分割してなる分割筒体から形成され、両端のキャップ部材もまた外方へ膨出した曲面と筒体に嵌合する周部を有し、これらの一対のキャップ部材と分割筒体を結合することによってカプセルが構成され、筒体の横側面に使用者が出入りする開口部を形成して、この開口部の内側面の上下に設けたレールに沿って筒体と同様の曲面を有する開閉扉を左右方向に開閉するようにしたことを特徴とする高気圧酸素カプセル。
【請求項２】
各分割筒体の端部に沿って外方へ突出したフランジを有し、キャップ部材の周部を各分割筒体で嵌合した状態で各分割筒体のフランジ同士を結合することによって筒体を形成し、キャップ部材の周部と各分割筒体の端部の結合部の外周にリング形状を分割した分割バンドの端部を嵌合して、各分割筒体のフランジの両側に分割バンドの端部に形成したフランジを合わせたうえで、左右の分割バンドの各フランジの両側に筒体の横方向の長さを有する当板を当てて、これらの左右の当板と左右の分割バンドの各フランジと左右の分割筒体のフランジを一括的に結合するようにしたことを特徴とする請求項１記載の高気圧酸素カプセル。
【請求項３】
筒体の横側面の開口部に沿って設けた上方のレールは開口部の上辺に沿う長手方向に三角形の２辺をなす折曲材料から形成され、開閉扉の上部の少なくとも２カ所のネジの締結構造によって設けた張り出し構造の滑車の両端がレールの２辺の上面に沿って点接触で当たりながら円滑に走行すると共に、複数設けたネジの離間位置に対応するレールの側部に貫通穴を設け、ネジの頭部に設けたネジ溝に貫通穴の外方から挿入したネジ回し具を装着してネジの締結具合を調整することによって、各滑車の両端がレールの２辺の上面に均等に当たるようにしたことを特徴とする請求項１または２記載の高気圧酸素カプセル。
【請求項４】
カプセルの内部の高気圧空気をカプセルの外部に放出するための排気弁をカプセルの筒体の周面であってカプセルの内部に座った使用者の手の届く位置に設けたことを特徴とする請求項１、２または３記載の高気圧酸素カプセル。
【発明の詳細な説明】
【技術分野】
【０００１】  本発明は、酸素を含有した空気を高圧状態で人体に供給する高気圧酸素カプセルであって、数人の使用者が座った状態でリラックスできる大型のカプセルを分割状態で運搬および搬入し、簡単な組み立て作業を経て設置することができるようにした高気圧酸素カプセルに関する。
【背景技術】
【０００２】  従来、密閉可能に構成されたカプセルの内部に一人の使用者が横になった状態で入り、加圧ポンプからカプセル内に空気を送り込んでカプセル内の圧力を周辺圧力よりも高くすることによって、酸素濃度を上昇させ、カプセル内の使用者の人体に多量の酸素を供給するようにした高気圧酸素カプセルが知られている。【０００３】  このような高気圧酸素カプセルに収容された使用者の体内は、高濃度の酸素環境下におかれるため、体内の酸素濃度が上昇し、血液や体液に溶け込む酸素が増大する。このようにして体内に供給された酸素は、末消の毛細血管内を通過して、体内の隅々まで十分な酸素を供給することができ、血行を促進し、速やかな疲労回復を期待することができる。【０００４】  また、末梢の血液循環が改善するため、血流阻害が生じた部分の代謝活動が活発になり、冷え性を防いだり、血行障害による痛みをやわらげたり、回復を期待できる。【０００５】  このような高気圧酸素カプセルは、例えば、スポーツ選手や肉体労働者等の疲労回復、美容や健康にも効果が期待されている。さらには、高山病や一酸化炭素中毒等の治療にも適するものであり、高気圧酸素治療の分野にまで使用分野が広がっている。【０００６】  ところで、上記のような高気圧酸素カプセルにおいて、金属製筐体を使用するハード型は、主に業務用に使用されるため、構造的に剛性が要求される。例えば、特許文献１に記載されている高気圧酸素カプセルは長尺の直方体をなすカプセル本体を横に寝かせた状態にして、その上部に長尺のドーム型蓋体を開閉可能に設けた構造である。このカプセルを使用する際には、使用者が蓋体を開けた状態でカプセル本体の内部に入って横になり、次いで蓋体を閉じ、カプセル本体と蓋体とは着脱式の固定金具を用いて密閉状に固定する。【０００７】  このような従来の高気圧酸素カプセルの構造は、内部に供給した空気を高気圧状態にするため、カプセルを構成する使用材が内部から外方へ膨張する。従って、カプセルの変形を防止するためにも、その形状は球形に近い湾曲形状が望ましい。このため、従来の高気圧酸素カプセルは、使用者が横になった状態で収容されるため、球形を長尺にしたカプセル形状に構成されることが多い。【０００８】  ところで、従来の高気圧酸素カプセルは、その完成形を工場で生産し、店舗やサロンや家庭内、さらには病院施設等の室内に設置される。このため、運搬から室内への搬入を可能とする小径に形成されている。【０００９】  しかしながら、使用者の身体が大柄な場合、例えば、相撲取りのように横幅が特に大きい人や、身長や体格そのものが大型のアスリート等にとっては、従来型の小径の高気圧酸素カプセルでは、内部に入って横になることが困難であり、また窮屈な状態での使用となるため、使用目的であるリラックスして疲労を回復するというニーズを満足するものではなかった。【００１０】  また、労働や競技等の後で、高気圧酸素カプセルを多人数で使用する場合、一台の高気圧酸素カプセルを順番待ちで使用すると、待ち時間に長時間を要することになる。【００１１】  このため、近年においては、高気圧酸素カプセルを一度に数人で使用できるように大型化したものも開発されている。しかしながら、従来の���型酸素カプセルは、分割したパネル材等を設置場所へ搬入して、カプセルの骨組みにパネルを固定して組み立てる構造であるため、天井部は湾曲した形状であっても、側面は平面形状の構造であり、内部で膨張する高圧空気に押されて変形したり、その変形を防止するために、種々の補強部材や補強構造を必要とするものであった。
【先行技術文献】
【特許文献】
【００１２】
【特許文献１】特開２００７−２０２９９５号公報
【発明の概要】
【発明が解決しようとする課題】
【００１３】  本発明は、上記の事情に鑑みてなされたものであり、高気圧の酸素等を充満させた気密性の高いカプセルの内部に数人が座った状態でリラックスできる大きさの大型カプセルを分割状態で運搬および搬入し、簡単な組み立て作業を経て設置することができるようにした高気圧酸素カプセルを提供することを目的とする。
【課題を解決するための手段】
【００１４】  上記の目的を達成するために、本発明の請求項１の高気圧酸素カプセルは、剛性材料による密閉状筒体のカプセルの内部に酸素を送り込んでカプセル内を加圧する加圧機構を備えた高気圧酸素カプセルにおいて、カプセルは水平状に横設する筒体と筒体の両端開口部を閉塞する一対のキャップ部材とから構成され、筒体はその内部に座った使用者が頭部の上方に余裕を有する外径であって、筒体の周面が外方へ膨出した曲面で形成されると共に、横設した筒体を軸方向に沿って分割してなる分割筒体から形成され、両端のキャップ部材もまた外方へ膨出した曲面と筒体に嵌合する周部を有し、これらの一対のキャップ部材と分割筒体を結合することによってカプセルが構成され、筒体の横側面に使用者が出入りする開口部を形成して、この開口部の内側面の上下に設けたレールに沿って筒体と同様の曲面を有する開閉扉を左右方向に開閉するようにしたことを特徴とする。【００１５】  また、本発明の請求項２の高気圧酸素カプセルは、請求項１において、各分割筒体の端部に沿って外方へ突出したフランジを有し、キャップ部材の周部を各分割筒体で嵌合した状態で各分割筒体のフランジ同士を結合することによって筒体を形成し、キャップ部材の周部と各分割筒体の端部の結合部の外周にリング形状を分割した分割バンドの端部を接合して、各分割筒体のフランジの両側に分割バンドの端部に形成したフランジを合わせたうえで、左右の分割バンドの各フランジの両側に筒体の横方向の長さを有する当板を当てて、これらの左右の当板と左右の分割バンドの各フランジと左右の分割筒体のフランジを一括的に結合するようにしたことを特徴とする。【００１６】  さらに、本発明の請求項３の高気圧酸素カプセルは、請求項１または２において、筒体の横側面の開口部に沿って設けた上方のレールは開口部の上辺に沿う長手方向に三角形の２辺をなす折曲材料から形成され、開閉扉の上部の少なくとも２カ所のネジの締結構造によって設けた張り出し構造の滑車の両端がレールの２辺の上面に沿って点接触で当たりながら円滑に走行すると共に、複数設けたネジの離間位置に対応するレールの側部に貫通穴を設け、ネジの頭部に設けたネジ溝に貫通穴の外方から挿入したネジ回し具を装着してネジの締結具合を調整することによって、各滑車の両端がレールの２辺の上面に均等に当たるようにしたことを特徴とする。【００１７】  また、本発明の請求項４の高気圧酸素カプセルは、請求項１、２または３において、カプセルの内部の高気圧空気をカプセルの外部に放出するための排気弁をカプセルの筒体の周面であってカプセルの内部に座った使用者の手の届く位置に設けたことを特徴とする。
【発明の効果】
【００１８】  上記の本発明は、剛性材料による密閉状筒体のカプセルの内部に酸素を送り込んでカプセル内を加圧する加圧機構を備えた高気圧酸素カプセルの構造に関するものである。このような構造において、本発明は、数人の使用者が一度に楽に座った状態で使用できる大きさの形状であって、大径の筒体に形成されている。【００１９】  また、筒体の横側面に設けられた開口部の開閉扉を左右に開くことによって、カプセルの内部へ出入りすることができるため、大柄の使用者であっても、カプセルの内部へ容易に出入りすることができ、しかも数人の使用者が一度にカプセルの内部で楽に座った状態で、高気圧酸素カプセルの血行促進や疲労回復の効果を享受することが可能となる。【００２０】  また、本発明のカプセル構造は、小型の運搬車を利用した運搬や搬入を可能とするように、横設した筒体を軸方向に沿って分割した分割構造の分割筒体とその両端で分割し得る一対のキャップ部材から構成されている。このため、それぞれの分割筒体と一対のキャップ部材を狭い入口を経て室内等へ搬入することも可能となる。【００２１】  また、カプセルが大型になると、筒体の側面の開口部に設けた開閉扉の走行性能にも精度が要求される。本発明では、筒体の周面の開口部に沿って設けた上方のレールは三角形の２辺をなす折曲材料から形成され、開閉扉の上部に設けた張り出し構造の滑車がレールの２辺の上面に沿って走行する構造に形成されている。このため、滑車の幅方向の両端がそれぞれレールの２辺の上面に点接触する構造となり、開閉扉の重量が重くなっても開閉扉はスムーズに走行するうえ、レールの上面に埃等の異物が付着している場合でも、そのようなレールの状況にあまり影響されることなく、開閉扉の円滑な走行性能を確保することが可能となる。【００２２】  また、上記の構成において、複数設けたネジの離間位置に対応するレールの側部に貫通穴を設け、ネジの頭部に設けたネジ溝に貫通穴の外方から挿入したネジ回し具を装着してネジの締結具合を調整することで、容易に、各滑車の両端がレールの２辺の上面に均等に当たるようになり、開閉扉のスムーズな走行を確保することが可能となる。【００２３】  なお、筒体の開口部と開閉扉のシール性能は、開口部の内側周部に沿ってゴム製等の弾性パッキンを設けることによって、開口部に閉ざされた状態の開閉扉は、カプセル内の気圧が高くなるに従って開口部の内周縁に設けた弾性パッキンに押圧されることでシール性能が発揮され、カプセル内の気密性能が保持されることになる。
【図面の簡単な説明】
【００２４】
【図１】本発明の実施例における高気圧酸素カプセルの斜視図である。
【図２】（ａ）は本発明における実施例の高気圧酸素カプセルの分解状態の正面図であり、（ｂ）はその組み立て後の正面図である。
【図３】（ａ）は本発明における実施例の高気圧酸素カプセルの分解状態の端面図であり、（ｂ）はその組み立て後の端面図である。
【図４】（ａ）は図２（ｂ）における矢印Ａで示す部分の部分斜視図であり、（ｂ）は同じく矢印Ａで示す部分を端面方向から見た拡大図であり、（ｃ）は図２（ｂ）におけるＢ−Ｂ矢示線の断面図である。
【図５】（ａ）は本発明における実施例の開閉扉を上方のレールに取り付けた走行構造を示す側面図であり、（ｂ）はレールに設けた貫通穴の内部にネジ溝が見える状況を示す図である。
【図６】本発明における実施例の高気圧酸素カプセルの胴体の周面に排気弁を設けた状態を示す高気圧酸素カプセルの背面側斜視図である。
【図７】本発明の実施例における高気圧酸素カプセルの排気弁を示す図であり、（ａ）（ｂ）はそれぞれ排気弁の外側面図、正面図、内側面図であり、（ｃ）は弁本体に取り付けた排気弁を閉じた状態を示す断面図であり、（ｄ）は弁本体に取り付けた排気弁を開いた状態を示す断面図である。
【発明を実施するための形態】
【００２５】  本発明の高気圧酸素カプセルは、剛性材料による密閉状筒体のカプセルの内部に酸素を送り込んでカプセル内を加圧機構で加圧する高気圧酸素カプセルを構成するものである。このような構造において、本発明では、数人の使用者が一度に楽に座った状態で使用できるカプセル形状としてある。従って、従来の高気圧酸素カプセルが寝た状態で使用する小径の構造であったのとは異なり、それよりは数倍の大径構造を有するため、運搬や室内への搬入が困難になる。しかしながら、本発明では、新規な分割構造とすることにより、運搬や搬入の際には分割した状態で移動させ、搬入後に設置場所にて簡単に組み立てることが可能となり、併せてカプセルの内部へ出入りするための開閉扉を円滑に走行することができる構造としたものである。
【００２６】  本発明において、カプセルの構造は、水平状に横設する筒体と筒体の両端開口部を閉塞する一対のキャップ部材とを分割した構成としている。このような構成において、両端のキャップ部材は、組み立て前において、筒体から完全に分割した状態でアルミニウム材等の剛性材料を利用して成形加工することが可能である。
【００２７】  また、筒体は、キャップ部材と同様にアルミニウム材等の剛性材料を使用して分割した構造とし、設置現場で筒体に組み立てる構造としている。ただし、この筒体の分割構成は、後述の実施例のように、横設した筒体を軸方向に沿って２分割することで断面が半円形の分割筒体とするほか、３分割等に分割して筒体に組み立てることができる構造としてもよい。これらの分割筒体もまた、上記の一対のキャップ部材と同様に、組み立て前において、アルミニウム材等の剛性材料を利用して成形加工することが可能である。
【００２８】  また、筒体の形状は、カプセルの内部に座った使用者が頭部の上方に余裕を有する外径であって、筒体の周面が外方へ膨出した曲面で形成されている。その代表的な例としては円筒形の筒体が好ましいが、円筒形のほかに、楕円形やその他の異形の曲面を有する形状であったり、一部に平面を有する形状にしてもよいが、全体として外方へ膨出した曲面をなす形状とすることによって、カプセル内の高圧気体の圧力に抗して変形し難い形状としている。
【００２９】  このような形状は、筒体の両端に設けられるキャップ部材もまた同様であり、このキャップ部材を外側へ膨出した曲面で形成することによって、カプセル内の高圧気体の圧力に抗して変形し難い形状としている。
【００３０】  また、カプセルを大型化することによって要求される開閉扉の走行性能に関しても、本発明では、開閉扉の上部に設けた張り出し構造の滑車がレールの２辺の上面に沿って走行する構造とし、これによって滑車の幅方向の両端角部がそれぞれレールの２辺の上面に点接触する構造となり、レールの上面の状態にあまり影響されずに、開閉扉を軽くスムーズに走行させることが可能となる。
【実施例】
【００３１】  本実施例について、図面を参照しながら具体的に述べる。
本実施例の高気圧酸素カプセルのカプセル構造は、図１〜図３に示すように、水平状に横設する筒体２を軸方向に沿って分割することで断面形状を半円形にした分割筒体２ａ、２ｂ（図３参照）と筒体２の両端開口部を閉塞するキャップ部材３ａ、３ｂとから成る分割構造で形成し、これらの部材を設置場所に搬入した後、組み立てて結合することで、図１に示すようなカプセル１の形状に構成し、使用に供されるものである。【００３２】  図１のカプセル１の下方には、筒体２の曲面に対応した湾曲状の載置面４ａを有する台座４が設けられ、この台座４の載置面４ａにカプセル１が安定した状態で載置されると共に、筒体２の下部であって四方の所定個所に設けられた固定金具４ｂでカプセル１が安定した固定状態となる。【００３３】  また、図２（ａ）、（ｂ）に示すように、両端の一対のキャップ部材３ａ、３ｂは外側へ膨出した湾曲形状の曲面で形成され、各キャップ部材３ａ、３ｂの筒体２側の端部には筒体２の内周に嵌合する周部３ｃを形成した構成としている。このようなキャップ部材３ａ、３ｂは、アルミニウム材等の剛性材料を利用して成形加工によって形成される。各キャップ部材３ａ、３ｂは同形状であるため、同一の成形型を用いて加工することが可能である。なお、キャップ部材３ａの中央には、カプセル１内の空気を抜くことができる排気弁１５が設けられている。【００３４】  また、本実施例の筒体２は、その内部に座った使用者が頭部の上方に十分の余裕を有する外径の一例として、約１４００ｍｍの外径に形成され、カプセル１の全長は２３００ｍｍに形成されている。このカプセル１の外径の寸法は、小径にしたり、さらに大径とすることも可能であるが、内部に座った使用者が窮屈な状態とならない寸法に設計されるべきである。【００３５】  また、本実施例の筒体２は、図２または図３に示すように、全体としては円筒形をなし、カプセル１を設置した状態で軸方向に沿って２分割してなる断面半円形の分割筒体２ａ、２ｂ（図３参照）から形成され、その片側の分割筒体２ａには開閉扉５を設けるための開口部６（図１参照）が形成されている。このため、筒体２全体としては、左右に半割りの状態で分割された断面半円形の分割筒体２ａ、２ｂを形成し、図１に示すように、筒体２の胴部を正面から見たとき、正面に開口部６が形成され、使用者は屈んだ状態で開口部６から内部へ出入りすることが可能である。【００３６】  さらに、図２（ａ）、（ｂ）または図３（ａ）、（ｂ）に示すように、各分割筒体２ａ、２ｂの上下の端部に沿って外方へ突出したフランジ７ｆが形成されると共に、各フランジ７ｆには所定間隔でボルト孔７ｈ（図２（ａ）参照）が形成され、図３（ｂ）に示すように、キャップ部材３ａ（不図示であるが、キャップ部材３ｂも同様）の周部を左右の分割筒体２ａ、２ｂで嵌合した状態で各分割筒体２ａ、２ｂのフランジ７ｆ、７ｆ同士をボルト１２ｂとナット１２ｎで結合することとなる。【００３７】  このような構成からなる分割構成のカプセル１を組み立てるには、図３（ａ）、（ｂ）に示すように、キャップ部材３ａ（３ｂ）の周部を各分割筒体２ａ、２ｂで嵌合した状態で各分割筒体２ａ、２ｂのフランジ７ｆ、７ｆ同士をボルト１２ｂとナット１２ｎで結合することによって筒体２を形成する。このため、各分割筒体２ａ、２ｂのフランジ７ｆ、７ｆにはボルト１２ｂを挿入するためのボルト孔７ｈ（図２（ａ）参照）が所定間隔で形成されている。【００３８】  次いで、図２（ｂ）、図３（ｂ）に示すように、各キャップ部材３ａ、３ｂの周部と筒体２との結合部の外周にリング形状を分割した分割バンド９ａ、９ｂの端部を嵌合して、図４（ａ）、（ｂ）に示すように、各分割筒体２ａ、２ｂのフランジ７ｆ、７ｆの両側に分割バンド９ａ、９ｂの端部に形成したフランジ１０ｆ、１０ｆを合わせる。さらに、各分割バンド９ａ、９ｂのフランジ１０ｆ、１０ｆの両側に筒体２の横方向の長さを有する当板１１ａ、１１ｂを当てて、これらの左右の当板１１ａ、１１ｂと左右の分割バンド９ａ、９ｂのフランジ１０ｆ、１０ｆと左右の分割筒体２ａ、２ｂのフランジ７ｆ、７ｆを一括的にボルト１２ｂとナット１２ｎで締結する。また、この結合をボルト１２ｂとナット１２ｎで締結するために、キャップ部材３ａ、３ｂの周部３ｃと分割バンド９ａ、９ｂと分割筒体２ａ、２ｂの両端の周部には、図２（ａ）（ｂ）に示すように、所定間隔の対応位置に皿ビス１４ｂとナット１４ｎ（図４（ｃ）参照）を締結するためのボルト孔３ｈ、９ｈ、２ｈが形成されている。【００３９】  上記の構成において、筒体２の端部に分割バンド９ａ、９ｂを結合する際、図４（ａ）（ｂ）に示すように、当板１１ａ、１１ｂの端部の下部には分割バンド９ａ、９ｂの収まりを良くするための下部切欠き１１ｃが形成されると共に、左右の当板１１ａ、１１ｂの合わせ側には分割筒体２ａ、２ｂのフランジ７ｆ、７ｆと分割バンド９ａ、９ｂのフランジ１０ｆ、１０ｆを収めるための側部切欠き１１ｄ、１１ｄが形成されている。また、図４（ｂ）に示すように、左右の分割筒体２ａ、２ｂのフランジ７ｆ、７ｆ間には薄板からなるシム１３を必要数だけ挟むことによって、ボルト締結の際の隙間調整を行うようにしている。【００４０】  さらに、図４（ｃ）に示すように、図２（ｂ）のＢ−Ｂ切断部に相当する位置において、分割筒体２ａ、２ｂの端部の外周に嵌合した分割バンド９ａ、９ｂの結合は、キャップ部材３ａ、３ｂの周部３ｃの内周に沿って付設した内周側のバンド１５を設け、分割筒体２ａ、２ｂの端部と分割バンド９ａ、９ｂとを、内側バンド１５の左右に配した皿ビス１４ｂとナット１４ｎで締結する。また、左右の皿ビス１４ｂ、１４ｂ間において内側バンド１５の周部に沿って所定間隔で丸穴１６ａを形成し、この丸穴１６ａにプラグ溶接１６を用いて接合することにより、筒体２とキャップ部材３ａ（３ｂ）との結合後の気密性を保つようにしている。【００４１】  一方、筒体２の横側面に設けた開口部６の内側面の上下にレール１６ａ（下方のレール１６ｂは図示を省略）を設け、レール１６ａ、１６ｂに沿って筒体２と同様の曲面を有する開閉扉５が走行可能に設けられている。なお、図１に示すように、開閉扉５には、その内側の周部に沿って耐圧ガラス等で形成された透視窓５ａ、５ａが固定されている。さらに開閉扉５の表側には開閉ハンドル５ｂが固定され、使用者はこの開閉ハンドル５ｂを握って開閉扉５を左右に開閉すること���でき、開閉扉５を図１の右側に移動することによって、開閉扉５を筒体２の右方に引き込んで収納し、開口部６を開くようにしている。【００４２】  なお、筒体２の開口部６と開閉扉５のシール性能は、開口部６の内側周部に沿ってゴム製等の弾性パッキン６ａを設けることによって、開口部６に閉ざされた状態の開閉扉５は、カプセル１内の気圧が高くなるに従って開口部６の内周縁に設けた弾性パッキン６ａに押圧されることでシール性能が発揮され、カプセル１内の気密性能が保持される。【００４３】  なお、上記の構成において、図１に示すように、筒体２の外周に溶接等で固定した補強バンド２２は筒体２の開口部５の左右付近を補強すると共に、開口部６の上下には横方向の補強部材２３が取り付けられている。さらに、補強バンド２２に沿って設けた湾曲状の手すり２４が筒体２から突出した状態で固定され、使用者が開口部５から屈んだ状態で内部に入る際、手すり２４を握った楽な姿勢で入ることが可能となる。また、カプセル１の内部の底面近くには平面状の床部材２６が設けられ、使用者がカプセル１の内部で座った自由な姿勢で疲労を回復することができるようにしている。【００４４】  さらに、本実施例においては、筒体２の周面の開口部６に沿って取り付けた上方のレール１６ａは、図５（ａ）に示すように、その下部にて三角形の２辺１７ａ、１７ｂをなす折曲部材から形成され、開閉扉５の上部の離間位置に金具２５をネジ２５ａで取り付け、金具２５に取り付けたネジ構造１８の滑車１９がレール１６ａの２辺１７ａ、１７ｂの上面に沿って点接触（１９ａ、１９ｂ）しながら円滑に走行するようにしている。また、ネジ１８の離間位置に対応するレール１６ａの側部に貫通穴２０を設け、図５（ａ）、（ｂ）に示すように、ネジ１８の頭部１８ｂに設けたネジ溝１８ｂに貫通穴２０の外方から挿入したネジ回し具を装着してネジ１８の締結具合を調整することによって、各滑車１９が上方のレール１６ａの２辺１７ａ、１７ｂの上面に均等な点接触で当たるようにしている。【００４５】  このような構成において、開口部６を開閉扉５で閉じたとき、この開閉扉５がカプセル１の内部の高気圧によって開口部６の周縁に沿って設けた弾性パッキン６ａ（図１参照）に押圧されることによってカプセル１内の気密性を保つことができる。【００４６】  なお、本実施例において、カプセル１の内部に供給する高圧酸素の供給装置については、図面を省略してあるが、従来と同様に、カプセル１の内部に酸素を送り込んでカプセル内を加圧する加圧機構を備えたコンプレッサー等の加圧ポンプをカプセル１の外部に設置し、加圧ポンプからカプセル内に空気を送り込んで内圧を周辺圧力よりも高くすることで、酸素濃度を上昇させる構造にするとよい。【００４７】  上記の構成において、図１に示すように、カプセル１内の空気を抜くことができる排気弁１５は、キャップ部材３ａの中央に設けられている。ところで、本実施例のカプセル１において、カプセル１の内部に入った使用者は、両側のキャップ部材３ａ、３ｂを背にして向き合った状態で床２６又は床２６に設置した不図示のソファーに座った状態で向き合うことになる。【００４８】しかしながら、この状態では、キャップ部���３ａの中央に設けられた排気弁１５は、キャップ部材３ａに背を向けて座った使用者の目の届かない位置となるため、カプセル１内の気圧等に異常が生じる等の事態が生じた場合、排気弁１５の存在に気がつかなかったり、排気弁１５に手が届き難いという不都合が生じる。【００４９】  そこで、他の実施例として、図６に示すように、カプセル１内の高気圧空気をカプセル１の外部に放出するための排気弁１５をカプセル１の筒体２の周面であってカプセル１の内部に座った使用者の手の届く位置に設けた構成とする。【００５０】  このような構成において、排気弁１５は、図７（ｃ）（ｄ）に示すように、カプセル本体２に形成した穿孔部２ｃに弁本体２８を固定し、この弁本体２８に排気弁１５を取り付けた構成としている。この構成を詳細に述べると、図７（ａ）（ｂ）に示すように、排気弁１５は外側軸部２９と内側軸部３０との間にフランジ状の弁体３１を介して形成され、外側軸部２９は円柱形の両側を軸に沿って削り落としたような幅広部２９ａと幅狭部２９ｂとを備えた形状としている。【００５１】  また、弁本体２８は、図７（ｃ）（ｄ）に示すように、外側弁本体３２と内側弁本体３３とから構成されている。外側弁本体３２はカプセル本体２の穿孔部２ｃの周辺に取り付けた０リング３４でシールされ、この外側弁本体３２には中心孔３２ａが形成されている。さらに、中心孔３２ａの内側に環状突出部３５に囲まれた内腔部３６を有し、中心孔３２ａと内腔部３６との境界には弁座３７が形成され、弁座３７には０リング３８が設けられている。【００５２】  また、内側弁本体３３は、環状突出部３５を包囲した状態でボルト３８ｂで固定することができる。さらに、内側弁本体３３に形成された通気孔３９により、カプセル本体２の内部は通気孔３９と内腔部３６と中心孔３２ａを経てカプセル本体２の外部とを連通状態にすることが可能である。【００５３】  このような構成を組み立てるには、外側弁本体３２の中心孔３２ａに排気弁１５の外側軸部２９を挿入すると共に、排気弁１５の内側軸部３０の外周にスプリング４０を挿着した状態で、内側軸部３０を内側弁本体３３の中心孔２２ａに摺動自在に挿入し、外側弁本体３２の環状突出部３５に内側弁本体３３をボルト３８ｂで固定する。さらに、排気弁１５の外側軸部２９と内側軸部３０との両端部にノブ４１ａ、４１ｂをネジ４２で固定する。【００５４】  上記の構成により、図７（ｃ）に示すように、スプリング４０の付勢力によって排気弁１５の弁体３１は弁座３７の０リング３８に密着して外側弁本体３２の中心孔３２ａを気密状に閉塞する。なお、排気弁１５の弁体３１は環状突出部３５の内径よりも小径に形成されているため、弁体３１の外周は環状突出部３５の内周に対して隙間Ｃ（図７（ｄ）参照）を有することになる。【００５５】  また、排気弁１５をカプセル１の内部に入った使用者が横に寝た状態で手を伸ばし、排気弁１５のノブ４１ｂを引くことによって、図７（ｄ）に示すように、弁体３１は弁座３７から離脱するため、カプセル１内の空気圧は通気孔３９と弁体３１の外周の隙間Ｃと中心孔３２ａを経て外部に放出されることで大気圧と均等になる。なお、カプセル１の外部にいるオペレータ等の第��者が緊急時等に外側のノブ４１ａを押すことにより、上記と同様の作用によってカプセル１内の空気圧を大気圧と同様にすることが可能となる。
【符号の説明】
【００５７】１  カプセル
２  筒体
２ａ、２ｂ  分割筒体
２ｃ  穿孔部
２ｈ  ボルト孔
３ａ、３ｂ  キャップ部材
３ｃ  周部
３ｈ  ボルト孔
４  台座
４ａ  載置面
４ｂ  固定金具
５  開閉扉
５ａ  透視窓
５ｂ  開閉ハンドル
６  開口部
６ａ  弾性パッキン
７ｆ  フランジ
７ｈ  ボルト孔
９ａ、９ｂ  分割バンド
９ｈ  ボルト孔
１０ｆ  フランジ
１１ａ、１１ｂ  当板
１１ｃ  下部切欠き
１１ｄ  側部切欠き
１２ｂ  ボルト
１２ｎ  ナット
１３  シム
１４  補強ハンドル
１４ｂ  皿ビス
１４ｎ  ナット
１５  排気弁
１６  プラグ溶接
１６ａ  上方のレール
１６ｂ  下方のレール
１７ａ、１７ｂ  三角形の２辺
１８  ネジ
１８ａ  頭部
１８ｂ  ネジ溝
１９  滑車
１９ａ、１９ｂ  点接触
２０  通穴
２２  補強バンド
２２ａ  中心孔
２３  補強部材
２４  手すり
２５  金具
２５ａ  ネジ
２６  床部材
２８  弁本体
２９  外側軸部
２９ａ  幅広部
２９ｂ  幅狭部
３０  内側軸部
３１  弁体
３２  外側弁本体
３２ａ  中心孔
３３  内側弁本体
３４  ０リング
３５  環状突出部
３６  内腔部
３７  弁座
３８  ０リング
３８ｂ  ボルト
３９  通気孔
４０  スプリング
４１ａ、４１ｂ  ノブ
４２  ネジ
【図１】
2018020097.tif 000003
【図２】
2018020097.tif 000004
【図３】
2018020097.tif 000005
【図４】
2018020097.tif 000006
【図５】
2018020097.tif 000007
【図６】
2018020097.tif 000008
【図７】
2018020097.tif 000009